(57)【要約】【課題】  指を汚さないで物を掴み、また指を汚さずマニキュアやネイルアートなどをはがさぬ様に防ぎ保護でき、指に付着する細菌から食物を守り指を汚さず衛生的に食する事ができ着脱が容易である。【解決手段】  本発明の使い捨て指カバーは、紙の表面に液体等が浸透しないようにコウティング等の加工がほどこされている薄紙で、これらの３本の指サックは、各指の外周に、のりしろ２ａ、２ｂ、２ｃ設け、粘着性接着剤を有し、１ａ〜１ｃは指に挿入できる様に、サック状に形成されて指の表面をカバーする帯部３ａ〜３ｃを介して集合面帯部５に一連一体に接続してなる。また、各３本の指用サック１ａ〜１ｃは、サックの両側面に、Ｖ溝４ａ〜４ｃを設け形成される。更に、各３本の指用サック１ａ〜１ｃは、Ｖ溝切抜き部４ａ〜４ｃの先端部から上方斜めに、切り取り点線ミシン目６ａ〜６ｃを設け形成される。【選択図】図１
2007090015.tif 000002
【特許請求の範囲】
【請求項１】
親指用カバー部１ａ、人差し指用カバー部１ｂ、中指用カバー部１ｃは、サック状に形成されいる。
各サックは、それぞれに帯部３ａ、３ｂ、３ｃを介して集合面帯部５に、一連一体に連接され構成されている使い捨て指カバー。
【請求項２】
親指用カバー部１ａ、人差し指用カバー部１ｂ、中指用カバー部１ｃのサックの両側面に、Ｖ溝４ａ、４ｂ、４ｃを設けたことを特徴とする、請求項１記載の使い捨て指カバー。
【請求項３】
親指用カバー部１ａ、人差し指用カバー部１ｂ、中指用カバー部１ｃの、Ｖ溝切り抜き部４ａ、４ｂ、４ｃの先端部から上方斜めに、指の腹面と背面に切り取り点線ミシン目６ａ、６ｂ、６ｃを設けたことを特徴とする、請求項１〜２に記載の使い捨て指カバー。
【請求項４】
親指用カバー部１ａ、人差し指用カバー部１ｂ、中指用カバー部１ｃは、各指の第一関節と第二関節の間位で、サック状に形成されたことを、特徴とする請求項１〜３に記載の使い捨て指カバー。
【請求項５】
紙材は、液体等が浸透しないようにコウティング等の加工がほどこされている薄紙からなる請求項１〜４に記載の使い捨て指カバー。
【発明の詳細な説明】
【技術分野】
【０００１】  本発明は、人間が物を持つ事に関し最低必要とされる指の数は、３本であり、食物等を手に持って食べる際に、食物等を指についた細菌から守ることができ、また指を使う全ての分野に於いて使用可能であり、使用後ワンタッチで捨てることが出来る使い捨て指カバーに関する。
【背景技術】
【０００２】  従来、食物を扱う際に衛生的に行う為に、ビニール手袋などを使用しているが、食物等をお皿などに盛りつけたりのせたりと言った、使用方法でしか無く、直接指にはめて持って食べる使用方法の物は、今だに無いのが現状である。【０００３】  従来食物等を食す際は、指をお手拭で拭くか、水道水などで洗わなければ直接持って食すことが出来なく、または、紙などを使用し持って食するしか方法がなかったのである。
しかも食後に、指をお手拭で何回も拭くか、水道水で洗剤をつけて洗わなければならない面倒な手間をようさなければならなかった。【０００４】  また、ピザ、フライドポテト、チキンナゲット、焼き鳥、回転寿司等をあつかうフードチェーン店等で、食する際に、指で直接つかみ持たなければ食せない物などがあり、食後にお手拭を使用したり、水道水で洗いおとしても、完全に油等や汚れ細菌を取り除く事は、不可能であり不衛生である。【０００５】  また子供などは、日常的に、菓子類等を食する。屋外などで、よく遊ぶ子供などは、指を洗わず食し、そのまま洋服、ズボン類などで拭いてしまう傾向があり、衣服が汚れてとても不衛生である。【０００６】  また食物等に関係なく指を使う事に関し、パチンコ店等にあるスロット類の、メタル使用の際などいろいろな人々が使用したりする物は、とても不衛生であり、使用後お手拭で何回も拭いたり、水道水で洗剤等を使用し、洗いながしても、細菌など汚れを取り除く事は不可能である。
【発明の開示】
【発明が解決しようとする課題】
【０００７】  本発明は、上記の課題に鑑みてなされたもので、その目的とするところは、人間が物を持つ事に関し、最低必要とされる指の数は３本である。また、女性の身だしなみの、マニュキヤやネイルアートなどを、はがさぬ用に、防ぎ保護できると共に、指や爪の間などに付着する細菌から食物を守り指を汚さず衛生的に食する事ができる。
尚、食後などにお手拭や、水道水などで、洗剤等をつけて洗う手間などをはぶく事ができ、インフルエンザや、細菌などの予防などに適し、指を使う全ての分野に於いて、使用可能とされ、使用後ワンタッチで捨てることが出来る、使い捨て指カバーに関する。
【課題を解決するための手段】
【０００８】  上記目的を達成するために、本発明の使い捨て指カバーは、液体等が浸透しないようにコウティング等の加工がほどこされている薄紙からなり、コウティング加工等がほどこされている紙を使用し、各指の外周を、指が挿入出来る様にのりしろを設け、接着剤を有し、サック状に形成され、その両側面に、Ｖ溝で切り抜き部が構成され、各指のＶ溝切り抜き部を、一連一体に連結し設けたことを特徴とする。【０００９】  また、更に各指Ｖ溝切り抜き部は、先端部から上方斜めに、切り取り点線を設けたことを特徴とする。【００１０】  本発明は、各指の下降方向の延長交点に、集合面帯部を設けたことを特徴とする使い捨て指カバーに関する。【００１１】  上記記載の、集合面帯部を引く事により、各指の切り取り点線が、破れ裂いて使用後ワンタッチで捨てられることを特徴とする使い捨て指カバーである。
【発明の効果】
【００１２】  また、その表面にはファッション性のある絵柄模様や、文字あるいは宣伝、広告媒体としても使用出来る。紙の表面に液体等が浸透しないようにコウティング加工等が、ほどこされている薄紙を使用して作られる、使い捨て指カバーに関する。【００１３】  使い捨て指カバーをはめる事で、食物または、すべての指を使う分野に於いて、指を汚さずに使用する事ができ、食する事ができる。また食物に、指や爪の間の細菌が付着するのを防ぐことで、病気等にかからず健康状態でいられる事ができる。
【発明を実施するための最良の形態】
【００１４】  この発明の一実施形態について図面を参照して説明すると、図１は、本発明の使い捨て指カバーの斜視図、図２は使い捨て指カバーを、指に取りつけ示す斜視図、図３は、使い捨て指カバーを指に取りつけて、物をつかんだ状態を示す斜視図で、紙材は、表面に液体が浸透しないように加工がほどこされている薄紙からなり、この本体Ａには、親指用カバー部１ａ、人差し指用カバー部１ｂ、中指用カバー部１ｃを有し、前記カバー部１ａ、１ｂ、１ｃは外周に指が挿入出来る様にのりしろ２ａ、２ｂ、２ｃ設け、接着剤により、接着してサック状に形成され、帯部３ａ、３ｂ、３ｃを設けて、集合面帯部５に一連一体に連結して構成されている。【００１５】  前記カバー部１ａ、１ｂ、１ｃは指サック状に形成され、そして親指用カバー部１ａ、人差し指用カバー部１ｂ、中指用カバー部１ｃは、屈折しやすく第一間接と第二間接のあいだ位の深さが好ましい。また、それぞれのカバー部１ａ、１ｂ、１ｃの深さは、人の第一間接と第二間接位の深さが良い、それは指の長短に対応でき、しかも子供の指にも対応する事ができ、又、指カバー部１ａ、１ｂ、１ｃをかぶせられた指が、柔軟に屈折できる為にも良くワンタッチで剥がし易い。【００１６】  上記構成になる本発明の使い捨て指カバーにおいて、各カバー部１ａ、１ｂ、１ｃを人の手の親指、人差し指、中指に挿着する。各カバー部１ａ、１ｂ、１ｃはそれぞれの帯部３ａ、３ｂ、３ｃで、集合面帯部５に一連に連結されているので、フライドポテトやフライドチキンを指で摘まむ時、指先と、指の表面を覆って、食物が手の最も触れ易い箇所を、確実に触れずに掴む事ができ衛生的である。
そして、指カバー部１ａ、１ｂ、１ｃを指から外すときは、集合面帯部５をめくり上げてやると、Ｖ溝４ａ、４ｂ、４ｃとミシン目６ａ、６ｂ、６ｃで破り裂いて指から容易に離脱させることができる。【００１７】  図４は、本発明の他の実施例を説明するもので、図１の指カバー本体１Ａでは、帯部３ａ、３ｂ、３ｃと集合面帯部５とか片面に有してなるものであるが、この実施例の使い捨て指カバー本体２Ａは、帯部１３ａ、１３ｂ、１３ｃと集合面帯部１５が両面に設けられる。
即ち、この実施例の指カバー本体２Ａは、親指用カバー部１０ａ、１０ｂ、１０ｃは、帯部１３ａ、１３ｂ、１３ｃを有して集合帯面部１５に一連一体に連結されて構成される。
従って、一方の帯部１３ａ、１３ｂ、１３ｃが腹面にあり、集合帯面部１５が手の掌に位置しているとき、他方の帯部２０ａ、２０ｂ、２０ｃが背面にあり、集合面帯部２５は、手の甲に位置する。【００１８】  親指１０ａ、人差し指１０ｂ、中指１０ｃの各指の両側面にＶ溝切抜き部１４ａ、１４ｂ、１４ｃを有しＶ溝切抜き部１４ａ、１４ｂ、１４ｃと帯部１３ａ、１３ｂ、１３ｃを連結結合される。よって、指から外す場合は、甲側にある集合面帯部２５又は、掌側にある集合面帯部１５のどちらを引いても、ミシン目から破り裂いて容易に離脱させる事ができる。【００１９】  この実施形態では、物を持つ際に必要な３本の指で構成され、動き安い第二関節位までの挿入孔でカバーされ指を汚すことなく物や食物などに使用できコンパクトなのでポケットテッシュ感覚で持ち歩き出来て、使用後ワンタッチで捨てる事が出来るのである。よって指を使う全ての分野に於いて使用可能であり、便利である。
【図面の簡単な説明】
【００２０】
【図１】本発明の使い捨て指カバーの斜視図である。
【図２】本発明の使い捨て指カバーを指に取り付けた状態を示す斜視図である。
【図３】本実施形態にかかる使い捨て指カバーを指に装着して食物を掴んだ状態を示す使用状態図である。
【図４】他の実施例の使い捨て指カバーの斜視図である。
【符号の説明】
【００２１】１Ａ                    本体
１ａ，１ｂ，１ｃ        挿入孔
２ａ，２ｂ，２ｃ        のりしろ
３ａ，３ｂ，３ｃ        帯部
４ａ，４ｂ，４ｃ        Ｖ溝部
５，                    集合面帯部
６ａ，６ｂ，６ｃ        ミシン目
７                      食物
２Ａ                    本体
１０ａ，１０ｂ，１０ｃ  挿入孔
１２ａ，１２ｂ，１２ｃ  のりしろ
１３ａ，１３ｂ，１３ｃ  帯部
１４ａ，１４ｂ，１４ｃ  Ｖ溝部
１５，                  集合面帯部
２５，                  集合面帯部
１６ａ，１６ｂ，１６ｃ  ミシン目
２０ａ，２０ｂ，２０ｃ  帯部
【図１】
2007090015.tif 000003
【図２】
2007090015.tif 000004
【図３】
2007090015.tif 000005
【図４】
2007090015.tif 000006